(57)【要約】【課題】磁力を用いることなく簡易かつ省スペース化が図れるチャッキング構造を備えたディスクドライブを提供する。【解決手段】ディスクが載置されるターンテーブルと、前記ディスクを前記ターンテーブルに押圧するチャッキング手段とを備えたディスクドライブであって、ディスクドライブの筐体の一部を成している上部ケースに、前記チャッキング手段が固定されている。チャッキング手段が上部ケースに設けられているので、筐体内にシャーシを設けて固定する必要がなく、省スペース化を図ったディスクドライブとして提供できる。【選択図】        図２
2004220666.tif 000002
【特許請求の範囲】
【請求項１】
ディスクが載置されるターンテーブルと、前記ディスクを前記ターンテーブルに押圧するチャッキング手段とを備えたディスクドライブであって、
ディスクドライブの筐体の一部を成している上部ケースに、前記チャッキング手段が固定されていることを特徴とするディスクドライブ。
【請求項２】
ディスクが載置されるターンテーブルと、前記ディスクを前記ターンテーブルに押圧するチャッキング手段とを備えたディスクドライブであって、
前記チャッキング手段は、ディスクドライブの筐体の一部を成している上部ケースに設けた開口に、前記上部ケースの一部を形成するように固定されていることを特徴とするディスクドライブ。
【請求項３】
請求項１又は２に記載のディスクドライブにおいて、
前記チャッキング手段は、弾性変形するカバー部と該カバー部から前記ディスクへ向けた押圧力を受けると共に前記ターンテーブルに伴って回転するプーリ部とを含むことを特徴とするディスクドライブ。
【請求項４】
請求項３に記載のディスクドライブにおいて、
前記プーリ部は、前記カバー部と接し該カバー部に対して回転可能に設けたプレートと、該プレートに固定され前記ディスクに接するクランパとを含むことを特徴とするディスクドライブ。
【請求項５】
請求項３に記載のディスクドライブにおいて、
前記カバー部が、環状に形成され前記上部ケースに固定される基部と、前記基部の内部側に配設されて前記プレートと当接する当接部と、前記基部と前記当接部との上下方向での相対位置を可変にして接続する弾性を備えた腕部とで形成されていることを特徴とするディスクドライブ。
【請求項６】
請求項５に記載のディスクドライブにおいて、
前記カバー部は、弾性を有する金属板を打ち抜いて一体に形成されたものであることを特徴とするディスクドライブ。
【請求項７】
請求項３に記載のディスクドライブにおいて、
前記プーリ部と接する前記カバー部側及び前記カバー部と接する前記プーリ部側の少なくとも一方の当接部分が、前記プーリ部の回転を円滑にするための頂部を有する形状に成型されている、ことを特徴とするディスクドライブ。
【請求項８】
請求項１から７のいずれかに記載のディスクドライブにおいて、
前記チャッキング手段を前記ディスク面に近づける移動機構をさらに備えていることを特徴とするディスクドライブ。
【請求項９】
ディスクドライブのターンテーブル上にあるディスクを押圧すチャッキング手段に用いる部品であって、
環状に形成した基部の内部側に配設した当接部と、前記基部と前記当接部との上下方向での相対位置を可変にして接続する弾性を備えた腕部とを備えたこと特徴とするディスクドライブ用チャッキング部品。
【請求項１０】
請求項９に記載のディスクドライブ用チャッキング部品において、
前記基部はディスクドライブの筐体の一部を成している上部ケースに形成した開口に対応する形状を有していることを特徴とするディスクドライブ用チャッキング部品。
【発明の詳細な説明】
【０００１】
【発明の属する技術分野】
本発明はＣＤ−ＲＯＭ、ＣＤ−Ｒ、ＣＤ−ＲＷ、ＤＶＤ−ＲＯＭ等のディスクを用いて情報を記録し、また情報を再生するディスクドライブに関する。特に、本発明は改良したチャッキング構造を備えたディスクドライブに関する。
【０００２】
【従来の技術】
近年、ＣＤ等のディスクが情報記録媒体として広く普及している。さらにはコンパクト化されたデスクトップ型或いは携帯型のディスクドライブも広く利用されている。このようなディスクドライブではディスクをターンテーブル上に載置した後、情報の再生あるいは書き込みのためディスクを回転してもブレが生じないようにターンテーブル上にディスクがチャッキングされる。
【０００３】
最も一般的なチャッキング法として、磁力を用いる構造がよく知られている。この構造は、例えばターンテーブル側に磁石を配置し、ターンテーブルの上方位置にはその磁力を受ける回転可能な金属性のクランパが配設されている。そして、ターンテーブル上にディスクを載置した後に、このクランパを近付けることで磁力によりディスクを挟持してターンテーブルにセットする。また、特許文献１に示すように、ディスク側にクランパ１０を押し付けるための板ばね１０ａを付加するようにした構造についての提案もある。
【０００４】
【特許文献１】特開平１０−８３６０７号公報
【０００５】
【発明が解決しようとする課題】
しかしながら、前述した磁石を採用したチャッキング構造でディスクを装填していない場合には、ターンテーブルにクランパが直に接触し、両者が強固に結合した状態となる。このような状態からディスクを装填するためにイジェクト操作を行うと、ローディングギヤ等の動力系に磁力に基づいた大きな負荷を与えてしまう場合がある。さらに、磁力で結合したクランパを引き剥がす際に、剥がし音が発生する場合がある。このように剥がし音が発生すると製品としてのディスクドライブの品位が低下してしまう。
【０００６】
また、特許文献１に示すようにチャッキングに板バネを採用すると、その板バネを固定するための新たな部材を設けることが必要となる。これにより、この部材を配置するためのスペースを確保しなければならずディスクドライブが大型化し、またコストが上昇する原因にもなる。さらに、従来のチャッキング機構はディスクドライブの筐体内に設けたシャーシ等でクランパを支持するように構成されているので、筐体内にクランパを保持しておく空間が必要であり小型化を促進する障害になっていた。
【０００７】
したがって、本発明は、前述した従来の課題を解決し、磁力を用いることなく簡易かつ省スペース化が図れるチャッキング構造を備えたディスクドライブを提供することである。
【０００８】
【課題を解決するための手段】
上記目的は、請求項１に記載するように、ディスクが載置されるターンテーブルと、前記ディスクを前記ターンテーブルに押圧するチャッキング手段とを備えたディスクドライブであって、ディスクドライブの筐体の一部を成している上部ケースに、前記チャッキング手段が固定された構造により達成できる。また、上記目的は、請求項２に記載するように、ディスクが載置されるターンテーブルと、前記ディスクを前記ターンテーブルに押圧するチャッキング手段とを備えたディスクドライブであって、前記チャッキング手段は、ディスクドライブの筐体の一部を成している上部ケースに設けた開口に、前記上部ケースの一部を形成するように固定された構造によっても達成できる。本発明によると、チャッキング手段が上部ケースに設けられているので、筐体内にシャーシを設けて固定する必要がなく、省スペース化を図ったディスクドライブとして提供できる。
【０００９】
そして、前記チャッキング手段は、弾性変形するカバー部と該カバー部から前記ディスクへ向けた押圧力を受けると共に前記ターンテーブルに伴って回転するプーリ部とにより形成できる。このプーリ部には、前記カバー部と接し該カバー部に対して回転可能に設けたプレートと、該プレートに固定され前記ディスクに接するクランパとを含むことができる。このような構成であれば、カバー部の弾性力に基づいて、プーリ部のクランパをディスクに押圧できるので、ディスクを確実にチャッキングしながら回転させることができる。また、磁力を用いていないため駆動系に負荷を与えたり、剥がし音が発生することもない。さらに、従来のチャッキング構造に板バネ等の部材を付加するものではなく、簡易な構造であるのでコストの低減を図ることもできる。
【００１０】
また、前記カバー部は、環状に形成され前記上部ケースに固定される基部と、前記基部の内部側に配設されて前記プレートと当接する当接部と、前記基部と前記当接部との上下方向での相対位置を可変にして接続する弾性を備えた腕部とで形成できる。そして、前記プーリ部と接する前記カバー部側及び前記カバー部と接する前記プーリ部側の少なくとも一方の当接部分が、前記プーリ部の回転を円滑にするための頂部を有する形状に成型されていることが望ましい。
【００１１】
【発明の実施の形態】
以下、図面に基づいて本発明の実施例装置を説明する。図１は実施例に係るディスクドライブの概要を示した図である。図１（Ａ）はディスクドライブ１からディスクＤを載置するトレーが引き出されたイジェクト状態を示した図、図１（Ｂ）はトレーに載置されたディスクＤをディスクドライブ１内にローディングした状態を示した図である。
【００１２】
本ディスクドライブ１の筐体は、下側のボトムケース３と上側のトップケース４とが接続されて一体に形成されている。この筐体の側部に切り欠きが設けられ、この部分からトレー１１が外部に引き出せるようになっている。図示しない駆動機構によりこのトレー１１は筐体に対して出し入れ可能となっており、載置面上のディスクＤを保持してディスクドライブ１内に装填し、また引き出すことができるようになっている。
【００１３】
筐体内には、光ピックアップ装置１２及びターンテーブル１４を駆動するモータ１３が配置されている。これらはメカシャーシ１０に固定されている。メカシャーシ１０はボトムケース３から立ち上がる支柱１７、１７に接続されており、図示しない駆動源により上下方向に移動できるように設定されている。（Ａ）に示すイジェクト状態の時には駆動源によりメカシャーシ１０は底部側に移動され、（Ｂ）に示すローディング状態の時には駆動源によりターンテーブル１４が上方に移動されてトレー上のディスクＤが上方に押上げられる。
【００１４】
本実施例のディスクドライブ１は、特にディスクＤを上方からクランプするチャッキング手段に関して従来にない構成を有している。本ディスクドライブ１のチャッキング手段２０はトップケース４の一部を成すように形成されている。すなわち、ディスクＤを上部から押圧するクランパ部材がトップケース４の上部から僅かに下に向いて突出した形態であり、従来のように筐体内に配置したシャーシでクランパを保持するような構造ではない。よって、本実施例のディスクドライブ１は、省スペース化を図った構造となっている。
【００１５】
図２は、上記チャッキング手段２０を拡大して示した図である。（Ａ）はトップケースに固定されたチャッキング手段２０を拡大して示した図であり、（Ｂ）チャッキング手段に含まれる弾性部品を拡大して示した図である。図２（Ａ）で、トップケース４の上面には開口５が形成されている。この開口５の周部は、トップケース４の縁部４ａを下向きに加工してすり鉢状に形成されている。このすり鉢形状の空間内にチャッキング手段２０がちょうど収納された状態となっている。
【００１６】
チャッキング手段２０は、カバー部となる弾性を備えたプーリカバー２１と、このプーリカバー２１の下に配置するプーリ部とを含んでいる。プーリ部はプーリカバー２１からディスクＤへ向けた押圧力を受けると共に、前記ターンテーブル１４に伴って回転する構成を含んでいる。このプーリ部は、プーリカバー２１に対して回転可能に設けたプレート２５と、このプレート２５に固定されディスクＤに当接するクランパ２７とを含んでいる。クランパ２７は断面が略台形であり、その頭部は開口５から下向きに突出している。
【００１７】
図２（Ｂ）は弾性部品となるプーリカバー２１を取出して示した平面図である。プーリカバー２１は、環状に形成され前記トップケース４側に固定される基部２２と、この基部２２の内部側に配設されて上記プレート２５と当接する当接部２４と、基部２２と当接部２４とが上下方向で相対移動できるように接続する弾性を備えた３つの腕部２３ａ〜２３ｃとで形成されている。このプーリカバー２１は（Ａ）により良く確認できるように開口５と同様にすり鉢型に成型され、当接部２４が下からの力を受けると弾性を備えた腕２３が変形してこの当接部２４が上方に移動するのを許容した構造となっている。このような形状のプーリカバー２１は、例えば所定の弾性を備えたステンレス鋼をプレス加工することで一体に成型することができる。
【００１８】
ところで、図２（Ａ）はクランパ２７とディスクＤとが接触していない状態を示している。この状態ではプーリカバー２１は変形しておらず、プーリカバー２１はプレート２５に力を加える状態となっていない。一方、図３はターンテーブル１４が上昇してディスクＤがクランパ２７に押し付けられた状態を示した図である。この図３は先の図１（Ｂ）で示した状態に相当している。図３の場合、ターンテーブル１４がディスクＤを上昇させることにより、ディスクＤがクランパ２７を上に押上げ、プレート２５を介してプーリカバー２１にその力が伝達される。このときプーリカバー２１はトップケース４に固定されているので、前述した腕２３が変形してプーリカバー２１が厚みを縮小するように変形する。これにより、プーリカバー２１が押圧力を発生させ、クランパ２７がディスクＤに当接される。よって、本ディスクドライブでは、ディスクＤがターンテーブル１４とクランパ２７との間で確実にチャッキングされる。
【００１９】
前述したような構成を有するディスクドライブ１では、従来のように磁石を採用することなくディスクをチャッキングするので、駆動系に与える負荷の問題が解消される。また、磁石と金属性のクランプ部材とが引き剥がされるときに生じる独特の引き剥がし音の問題も解消される。さらに、本ディスクドライブ１はチャッキングに新たな板バネを付加するという構造ではないので、その板バネを固定するためのプレートも必要とせずコンパクト化したチャッキング機構を形成している。さらに、従来においてはメカシャーシ等に固定していた上部のチャッキング機構を、本ディスクドライブ１ではトップケース４の一部を成すように組込んでいるので装置全体をコンパクト化できる。
【００２０】
なお、本実施例でチャッキング機構内のプーリカバー２１の基部２２が、トップケース４側に適当な接続手段で固定されていればよい。例えば、図３の点線７で示すようにプーリカバー２１の上部全体を覆う接着性のフィルムを用いて、プーリカバー２１を固定してもよい。このようにフィルム７を用いると、その上部には所定のマークや番号を付することができるので便利であり、合わせて筐体内にゴミが進入することも防止できるのでこのましい。
【００２１】
図４は、プーリカバー２１をトップケース４に固定する他の構造例について示した図である。この例では、トップケース４の端部が略コ字状の断面を有するように形成されている。この断面の空間内にプーリカバー２１の基部２２が嵌め込まれている。このような構造であれば特にプーリカバー２１が上方への力を受けたときに固定状態を維持して、クランパをディスク側に確実に押圧することができる。
【００２２】
図５は、プーリカバー２１とプレート２５との接続部分の改良例を示した図である。プレート２５はプーリカバー２１から弾性力（押圧力）を受け、これをクランパ２７側に伝達しながらクランパ２７と一体になりディスクＤの回転に伴って回転する。よって、プレート２５がプーリカバー２１に当接する部分では、プレート２５の回転が円滑となる頂部を有した形状とするのが望ましい。そこで、図５ではプーリカバー２１の接触部分に半球状の突起２８を設けている。なお、このような突起はプレート２５に設けてもよいし、プーリカバー２１及びプレート２５の双方に設けてもよい。
【００２３】
なお、上記実施例ではメカシャーシ１０が上昇することによりターンテーブル１４上のディスクＤをクランパ２７に押し付ける力を発生させているが、本発明はこのような構成に限定するものではない。例えば、トップケースがボトムケースに対しヒンジで接続されて開閉されるコンパクト型ディスクドライブの場合には、トレーは筐体内に固定されており操作者がトップケースを閉じることによりローディング状態が形成される。よって、トップケースを閉じた時に、クランパとディスクの間に所定の押圧力が発生するように設計すれば、このタイプのディスクドライブにも本発明を適用できる。
【００２４】
以上、本発明の好ましい実施例について詳述したが、本発明は係る特定の実施形態に限定されるものではなく、特許請求の範囲に記載された本発明の要旨の範囲内において、種々の変形・変更が可能である。
【００２５】
【発明の効果】
以上、詳述したところから明らかなように、本発明によれば、チャッキング手段が上部ケースに設けられているので、筐体内にシャーシを設けて固定する必要がなく、省スペース化を図ったディスクドライブとして提供できる。特に、チャッキング手段を、弾性変形するカバー部とこのカバー部からディスクへ向けた押圧力を受けるプーリ部とにより形成するとプーリ部をディスクに押圧でき、ディスクを確実にチャッキングしながら回転させることができる。また、磁力を用いていないため駆動系に負荷を与えたり、剥がし音が発生することもない。さらに、従来のチャッキング構造に板バネ等の部材を付加するものではなく、簡易な構造であるのでコストの低減を図ることもできる。
【図面の簡単な説明】
【図１】実施例に係るディスクドライブの概要を示した図であり、（Ａ）はディスクを載置するトレーが引き出されたイジェクト状態を示した図、（Ｂ）はディスクをディスクドライブ内にローディングした状態を示した図である。
【図２】チャッキング手段を拡大して示した図で、（Ａ）はトップケースに固定されたチャッキング手段を拡大して示した図であり、（Ｂ）チャッキング手段に含まれる弾性部品を拡大して示した図である。
【図３】ターンテーブルが上昇してディスクがクランパに押し付けられた状態を示した図である。
【図４】プーリカバーをトップケースに固定する他の構造例について示した図である。
【図５】プーリカバーとプレートとの接続部分の改良例を示した図である。
【符号の説明】
Ｄ                ディスク
１                ディスクドライブ
４                トップケース（上部ケース）
５                開口
１０              シャーシ
１１              トレー
１４              ターンテーブル
２０              チャッキング構造（チャッキング手段）
２１              プーリカバー（カバー部）
２２              基部
２３ａ〜２３ｃ    腕部
２４              当接部
２５              プレート（プーリ部）
２７              クランプ（プーリ部）
【図１】
2004220666.tif 000003
【図２】
2004220666.tif 000004
【図３】
2004220666.tif 000005
【図４】
2004220666.tif 000006
【図５】
2004220666.tif 000007